(57)【要約】【課題】除湿運転時の湿度の設定及び運転停止の設定を、操作ボタン数を増すことなく受け付けて、空気調和機本体に設定させる。【解決手段】冷房若しくは暖房運転中又は運転停止中に除湿％ボタンの押下を受け付けた場合、運転状態を除湿に切り替え、湿度の初期値を「５０％」とする。除湿運転中に除湿％ボタンの押下を受け付けた場合、該ボタンの長押しが１秒未満のときは、除湿運転を停止させる。前記ボタンが１秒以上長押しされたときは、ＲＡＭに記憶している設定すべき湿度を５％ずつ減算して更新し、更新した湿度を空気調和機本体に設定させると共に表示部に表示する。この場合、更新した湿度が３５％となったときは、設定すべき湿度を６０％に変更する。従って、設定すべき湿度は５％刻みで循環的に更新される。【選択図】図３
2008275261.tif 000002
【特許請求の範囲】
【請求項１】
除湿運転に係る設定を受け付けるための受付手段と、湿度の設定が可能な除湿運転を行う空気調和機本体に対して操作信号を送信する手段と、空気調和機本体が除湿運転中であるか否かを記憶する記憶手段とを備える空気調和機の遠隔操作装置において、
設定すべき湿度を記憶する手段と、
前記記憶手段の記憶内容が除湿運転中である場合、前記受付手段が除湿運転に係る設定を受け付けたときに、湿度の設定に係る操作信号を送信して、除湿運転の湿度を記憶した湿度に設定させる湿度設定手段と
を備えることを特徴とする空気調和機の遠隔操作装置。
【請求項２】
前記受付手段が除湿運転に係る設定を受け付けた場合、該設定の受け付けが継続する時間を計測する計測手段と、
該計測手段の計測結果が所定時間以上であるか否かを判定する時間判定手段とを備え、
前記湿度設定手段は、前記時間判定手段の判定結果が所定時間以上であると判定したときに、湿度の設定に係る操作信号を送信して記憶した湿度に設定させるように構成してあること
を特徴とする請求項１に記載の空気調和機の遠隔操作装置。
【請求項３】
前記記憶手段の記憶内容が除湿運転中である場合、前記時間判定手段が所定時間に満たないと判定したときに、運転の停止に係る操作信号を送信して除湿運転を停止させるように構成してあることを特徴とする請求項２に記載の空気調和機の遠隔操作装置。
【請求項４】
運転の停止の設定を受け付けるための停止受付手段を備え、
前記記憶手段の記憶内容が除湿運転中である場合、前記停止受付手段が停止の設定を受け付けたときに、運転の停止に係る操作信号を送信して除湿運転を停止させるように構成してあることを特徴とする請求項１乃至３の何れか一つに記載の空気調和機の遠隔操作装置。
【請求項５】
前記湿度設定手段は、湿度の設定に係る操作信号を送信する都度、記憶した湿度を段階的に上昇又は下降させて更新するように構成してあることを特徴とする請求項１乃至４の何れか一つに記載の空気調和機の遠隔操作装置。
【請求項６】
前記湿度設定手段は、記憶した湿度を更新する場合、更新した湿度が上限値を超えるときは下限値に戻し、更新した湿度が下限値を下回るときは上限値に戻すように構成してあること
を特徴とする請求項５に記載の空気調和機の遠隔操作装置。
【請求項７】
前記湿度設定手段は、記憶した湿度を更新する場合、初期値を５０％とし、５％刻みで上昇又は下降させて更新するように構成してあること
を特徴とする請求項５又は６に記載の空気調和機の遠隔操作装置。
【発明の詳細な説明】
【技術分野】
【０００１】
本発明は、空気調和機の遠隔操作装置に関し、空気調和機本体より離れた位置から操作信号を送信して、空気調和機本体を操作する遠隔操作装置に関する。
【背景技術】
【０００２】
従来より、空気調和機本体の設定湿度を遠隔操作装置から変更することが行われている。図８は、従来の遠隔操作装置の一例を模式的に示す正面図であり、図９は従来の遠隔操作装置の一例において設定湿度が更新される様子を示す説明図である。また、図１０は、従来の遠隔操作装置の他の一例を模式的に示す正面図であり、図１１は従来の遠隔操作装置の他の一例において設定湿度が更新される様子を示す説明図である。
【０００３】
従来の遠隔操作装置においては、例えば図８に示すように、設定湿度を上下させるための上昇・下降ボタンからなる湿度ボタンを専用に設け、夫々のボタンの押下を受け付けた都度、図９の「↓」又は「↑」に示す順序で、予め決められた湿度に段階的に設定変更させる方法、及び図１０に示すように、湿度ボタンを一つ設け、図１１の「↑」に示す順序で、予め決められた湿度に循環的に設定変更させる方法が用いられる。
【０００４】
また、特許文献１には、除湿ボタンが押下された場合、除湿運転を行い、除湿ボタンが押下される都度、４つの「除湿モード」（標準、衣類乾燥、おでかけ、及び結露抑制）を循環的に切り替える空気調和機が開示されている。更に特許文献２には、運転モード設定ボタンにより「ドライ」に設定された場合、湿度設定ボタンが押下される都度、３段階（低め、標準及び高め）の設定湿度を循環的に切り替える空気調和機が開示されている。
【特許文献１】特許第３８７７３１６号公報
【特許文献２】特許第３１２４３８５号公報
【発明の開示】
【発明が解決しようとする課題】
【０００５】
しかしながら、特許文献１に開示された空気調和機では、４つの「除湿モード」は切り替えられるが、使用者の所望する湿度に設定変更することはできない。また、特許文献２に開示された空気調和機では、使用者が「運転モード」を「ドライ」に設定してから、他のボタンを押下して湿度の設定変更を行うため、ボタンの選択を誤ることがあった。
【０００６】
一方、湿度の設定変更は、除湿運転の場合にのみ必要な操作であって、操作される頻度は低いと言える。また、設定される湿度はその性質上概略的な数値（例えば、４０％、４５％、５０％、５５％、６０％の最大５段階）であれば充分に使用者の要望を満たす。湿度の設定変更のための専用のボタンを設けた場合、遠隔操作装置のボタン数が増すことにより、使用者はより多くのボタンの中から目的に合致したボタンを探さねばならず、個々のボタンの大きさも制約されるため、遠隔操作装置としての利便性を低下させることになる。
【０００７】
本発明は斯かる事情に鑑みてなされたものであり、その目的とするところは、除湿運転中に除湿運転に係る設定を受け付けた場合、除湿運転の湿度を設定させるように構成することにより、従来から備えている受付手段を利用して、湿度の設定を受け付け、記憶した湿度を空気調和機本体に設定させることができる空気調和機の遠隔操作装置を提供することにある。
【課題を解決するための手段】
【０００８】
本発明に係る空気調和機の遠隔操作装置は、除湿運転に係る設定を受け付けるための受付手段と、湿度の設定が可能な除湿運転を行う空気調和機本体に対して操作信号を送信する手段と、空気調和機本体が除湿運転中であるか否かを記憶する記憶手段とを備える空気調和機の遠隔操作装置において、設定すべき湿度を記憶する手段と、前記記憶手段の記憶内容が除湿運転中である場合、前記受付手段が除湿運転に係る設定を受け付けたときに、湿度の設定に係る操作信号を送信して、除湿運転の湿度を記憶した湿度に設定させる湿度設定手段とを備えることを特徴とする。
【０００９】
本発明にあっては、除湿運転中に除湿運転に係る設定を受け付けた場合、空気調和機本体へ湿度の設定に係る操作信号を送信して、除湿運転の湿度を記憶した湿度に設定させる。これにより、受付手段を増すことなく湿度の設定が受け付けられ、記憶した湿度が空気調和機本体に設定される。
【００１０】
本発明に係る空気調和機の遠隔操作装置は、前記受付手段が除湿運転に係る設定を受け付けた場合、該設定の受け付けが継続する時間を計測する計測手段と、該計測手段の計測結果が所定時間以上であるか否かを判定する時間判定手段とを備え、前記湿度設定手段は、前記時間判定手段の判定結果が所定時間以上であると判定したときに、湿度の設定に係る操作信号を送信して記憶した湿度に設定させるように構成してあることが好ましい。
【００１１】
このような構成にすれば、除湿運転中に除湿運転に係る設定を受け付けた場合、該設定の受付継続時間が所定時間以上であると判定したときは、空気調和機本体へ湿度の設定に係る操作信号を送信して、記憶した湿度に設定させる。これにより、除湿運転の湿度の設定と他の設定とが弁別して受け付けられる。
【００１２】
本発明に係る空気調和機の遠隔操作装置は、前記記憶手段の記憶内容が除湿運転中である場合、前記時間判定手段が所定時間に満たないと判定したときに、運転の停止に係る操作信号を送信して除湿運転を停止させるように構成してあることが好ましい。
【００１３】
このような構成にすれば、除湿運転中に除湿運転に係る設定を受け付けた場合、該設定の受付継続時間が所定時間未満であると判定したときは、空気調和機本体へ運転の停止に係る操作信号を送信して除湿運転を停止させる。これにより、除湿運転の停止の設定と湿度の設定とが弁別して受け付けられる。
【００１４】
本発明に係る空気調和機の遠隔操作装置は、運転の停止の設定を受け付けるための停止受付手段を備え、前記記憶手段の記憶内容が除湿運転中である場合、前記停止受付手段が停止の設定を受け付けたときに、運転の停止に係る操作信号を送信して除湿運転を停止させるように構成してあることが好ましい。
【００１５】
このような構成にすれば、除湿運転中に運転の停止の設定を受け付けた場合、空気調和機本体へ運転の停止に係る操作信号を送信して除湿運転を停止させる。これにより、他の設定の受け付けに係わらず、除湿運転を停止させる。
【００１６】
本発明に係る空気調和機の遠隔操作装置は、湿度の設定に係る操作信号を送信する都度、記憶した湿度を段階的に上昇又は下降させて更新するように構成してあることが好ましい。
【００１７】
このような構成にすれば、空気調和機本体へ湿度の設定に係る操作信号を送信する都度、記憶した湿度を段階的に上昇又は下降させて更新する。これにより、使用者が同一操作を繰り返した場合に、記憶した湿度が更新され続ける。
【００１８】
本発明に係る空気調和機の遠隔操作装置は、前記湿度設定手段は、記憶した湿度を更新する場合、更新した湿度が上限値を超えるときは下限値に戻し、更新した湿度が下限値を下回るときは上限値に戻すように構成してあることが好ましい。
【００１９】
このような構成にすれば、記憶した湿度を更新する場合、更新した湿度が上限値を超えるときは下限値に戻し、更新した湿度が下限値を下回るときは上限値に戻す。これにより、使用者が同一操作を繰り返した場合に、記憶した湿度が循環的に変更される。
【００２０】
本発明に係る空気調和機の遠隔操作装置は、前記湿度設定手段は、記憶した湿度を更新する場合、初期値を５０％とし、５％刻みで上昇又は下降させて更新するように構成してあることが好ましい。
【００２１】
このような構成にすれば、空気調和機本体へ操作信号を送信して除湿運転の湿度を設定させる場合、設定湿度の初期値を５０％とし、湿度を設定させる都度、設定湿度を５％刻みで上昇又は下降させて更新する。これにより、使用者の体感を考慮した湿度に設定させる。
【発明の効果】
【００２２】
本発明によれば、除湿運転中に除湿運転に係る設定を受け付けた場合、湿度の設定として受け付けられ、記憶した湿度が空気調和機本体に設定される。従って、従来から備えている受付手段を利用して、湿度の設定を受け付け、記憶した湿度を空気調和機本体に設定させることができる。また、従来の受付手段を利用しない場合と比較して、受付手段の数が減ることにより、受付手段の選択を誤る機会を減少させることができる。
【発明を実施するための最良の形態】
【００２３】
以下、本発明をその実施の形態を示す図面に基づいて詳述する。
（実施の形態１）
図１は、本発明の実施の形態１に係る空気調和機の遠隔操作装置の構成を示すブロック図である。図において１１は制御部であり、制御部１１はＣＰＵ、バスインタフェース及び入出力インタフェースで構成されている。制御部１１は、バスインタフェースを介して、プログラム等の情報を記憶するＲＯＭ１３及び一時的に発生した情報を記憶するＲＡＭ１４と接続されており、ＲＯＭ１３に予め格納されている制御プログラムに従って入出力制御及び演算を実行する。
【００２４】
制御部１１はまた、入出力インタフェースを介して、操作部１５、表示部１６及び送信部１７と接続されており、前記各部に対する入出力制御を行う。
【００２５】
操作部１５は、使用者が各種設定等の操作を行うための各種ボタンを備え、該ボタンの操作は制御部１１によって受け付けられる。
【００２６】
表示部１６は、液晶ディスプレイからなり、操作部１５より設定された内容が、制御部１１の出力制御によって表示される。表示部１６はまた、空気調和機本体に設定させた除湿、冷房又は暖房等の運転状態、及び湿度等の設定値を表示する。
【００２７】
送信部１７は、赤外線発光部を備え、制御部１１に受け付けられた操作部１５による設定内容は、赤外線発光部より赤外線信号として、図示しない空気調和機本体の受光部へ送信される。
【００２８】
図２は、本発明の実施の形態１に係る空気調和機の遠隔操作装置を模式的に示す正面図である。遠隔操作装置の正面上部には表示部１６を備え、表示部１６には、設定された湿度又は温度、及び「除湿」等の運転状態が表示される。
【００２９】
遠隔操作装置の正面中央部には操作部１５を備え、操作部１５は、除湿運転に係る設定を行うための除湿％ボタン１５ａ、冷房ボタン、暖房ボタン、及び冷房又は暖房運転中の温度を設定するための上昇・下降ボタンからなる温度ボタンを有している。
【００３０】
図３は、本発明の実施の形態１に係る空気調和機の遠隔操作装置において設定湿度が更新される様子を示す説明図である。例えば冷房運転中の場合、表示部１６には「冷房」及び設定された温度が表示されている。
冷房若しくは暖房運転中又は運転停止中に除湿％ボタン１５ａの押下が受け付けられた場合、運転状態は除湿に切り替えられ、表示部１６に「除湿」が表示される。また、表示部１６には、設定された湿度の初期値である「５０％」が表示される。
【００３１】
その後除湿運転中に除湿％ボタン１５ａの押下が受け付けられる都度、ＲＡＭ１４に記憶されている設定すべき湿度が５％ずつ減算して更新され、更新された湿度が空気調和機本体に設定されると共に表示部１６に表示される。この場合、更新された湿度が３５％となったときは、設定すべき湿度が６０％に変更される。このようにして設定すべき湿度は５％刻みで循環的に更新される。
【００３２】
図４は、本発明の実施の形態１に係る空気調和機の遠隔操作装置において除湿％ボタン１５ａの押下を受け付けた場合に係る制御部１１の処理手順を示すメインルーチンのフローチャートである。
制御部１１は、ＲＡＭ１４に記憶されている除湿運転中フラグがセットされているか否かを判定する（ステップＳ１１）。尚、除湿運転中フラグは、空気調和機の遠隔操作装置の初期設定時に、制御部１１によってクリアされている。
【００３３】
除湿運転中フラグがセットされていない場合（ステップＳ１１：ＮＯ）、制御部１１は、ＲＡＭ１４に記憶されている設定すべき湿度（以下、設定湿度という）の初期値を５０％とし（ステップＳ１２）、表示部１６に設定湿度を表示する（ステップＳ１３）。その後制御部１１は、除湿運転の開始（冷房又は暖房運転時は、除湿運転への変更）処理として、除湿運転の開始に係る操作信号を、送信部１７から空気調和機本体に送信する（ステップＳ１４）。そして制御部１１は、除湿％ボタン１５ａの押下が更に継続して受け付けられているか否かを判定するステップＳ１５に処理を移す。
【００３４】
除湿運転中フラグがセットされている場合（ステップＳ１１：ＹＥＳ）、制御部１１は、除湿％ボタン１５ａの押下が継続して受け付けられているか否かを判定する（ステップＳ１５）。
除湿％ボタン１５ａの押下が継続して受け付けられていると判定した場合（ステップＳ１５：ＹＥＳ）、制御部１１は、除湿％ボタン１５ａの押下の受け付け開始から１秒を経過したか否かを判定する（ステップＳ１６）。
受け付け開始から１秒を経過していないと判定した場合（ステップＳ１６：ＮＯ）、制御部１１は処理をステップＳ１５に戻し、除湿％ボタン１５ａの押下を継続して受け付けつつ１秒が経過するまで待機する。
【００３５】
除湿％ボタン１５ａの押下の受け付け開始から１秒を経過していると判定した場合（ステップＳ１６：ＹＥＳ）、制御部１１は、湿度の設定処理に係るサブルーチンを呼び出し、実行する（ステップＳ１７）。
Ｓ１７の処理完了後、制御部１１は、処理をステップＳ１５に戻し、除湿％ボタン１５ａの押下を継続して受け付けつつ１秒が経過するまで、再び待機する。
【００３６】
除湿％ボタン１５ａの押下が継続して受け付けられていないと判定した場合（ステップＳ１５：ＮＯ）、制御部１１は、除湿運転中フラグがセットされているか否かを判定する（ステップＳ１８）。
除湿運転中フラグがセットされている場合（ステップＳ１８：ＹＥＳ）、制御部１１は、除湿運転の停止処理として、除湿運転の停止に係る操作信号を、送信部１７から空気調和機本体に送信する（ステップＳ１９）。そして制御部１１は、除湿運転中フラグをクリアし（ステップＳ２０）、処理を終了する。
【００３７】
除湿運転中フラグがセットされていない場合（ステップＳ１８：ＮＯ）、即ち、除湿運転を開始した直後に除湿％ボタン１５ａの押下を継続して受け付けなくなった場合、制御部１１は、除湿運転中フラグをセットし（ステップＳ２１）、処理を終了する。
【００３８】
図５は、本発明の実施の形態１に係る空気調和機の遠隔操作装置において湿度の設定処理に係るサブルーチンの処理手順を示すフローチャートである。
制御部１１は、設定湿度から５（％）を減算し、設定湿度を更新する（ステップＳ３１）。そして制御部１１は、設定湿度が３５（％）であるか否かを判定する（ステップＳ３２）。
【００３９】
設定湿度が３５（％）である場合（ステップＳ３２：ＹＥＳ）、制御部１１は、設定湿度を６０（％）に変更する（ステップＳ３３）。
設定湿度が３５（％）でない場合（ステップＳ３２：ＮＯ）、制御部１１は、設定湿度を変更せず、処理をステップＳ３４に移す。
【００４０】
次いで、制御部１１は、表示部１６に設定湿度を表示する（ステップＳ３４）。そして制御部１１は、湿度の設定に係る操作信号を、送信部１７から空気調和機本体に送信する（ステップＳ３５）。この場合、前記操作信号には設定湿度が付加されており、空気調和機本体では、該設定湿度に基づいて湿度が設定される。そして制御部１１は、湿度の設定処理に係るサブルーチンの処理を終えて、メインルーチン（図４のステップＳ１７）にリターンする。
【００４１】
このように構成された実施の形態１に係る空気調和機の遠隔操作装置にあっては、除湿運転中に除湿％ボタンの押下を受け付けた場合、湿度の設定として受け付け、記憶した湿度を空気調和機本体に設定する。従って、従来から備えている除湿ボタンの名称表示を変更して利用することにより、湿度の設定を受け付けて、記憶した湿度を空気調和機本体に設定させることができる。また、除湿ボタンを利用しない場合と比較して、ボタン数が減ることにより、受付手段の選択を誤る機会を減少させることができる。
【００４２】
更に、除湿運転中に除湿運転に係る設定を受け付けた場合、該設定の受付継続時間が所定時間以上であると判定したときに、除湿運転の湿度を記憶した湿度に設定させる。従って、従来から備えている受付手段を利用しつつ、除湿運転の湿度の設定と他の設定とが弁別して受け付けられる。これにより、例えば除湿運転の開始の設定に係る操作信号が、外乱等の影響を受けて空気調和機本体側で受け付けられなかった場合、その後も除湿運転の開始の設定と湿度の設定とは弁別して受け付けられるため、湿度が誤って設定されることを防止することができる。
【００４３】
本実施の形態１では、除湿運転中に除湿％ボタンの押下を受け付けた場合、ボタンの押下受け付け継続（長押し）時間が所定時間以上であると判定したときは、除湿運転の湿度を記憶した湿度に設定させる。従って、従来から備えている除湿ボタンの名称表示を変更して利用することにより、除湿運転の開始の設定及び湿度の設定を弁別して受け付け、除湿運転中に、空気調和機本体に湿度を設定させることができる。
【００４４】
つまり、従来から備えている受付手段を利用しつつ、除湿運転の湿度の設定と他の設定とを弁別して受け付けることができる空気調和機の遠隔操作装置を提供するという目的を達することもできる。
【００４５】
更にまた、除湿運転中に除湿運転に係る設定を受け付けた場合、該設定の受付継続時間が所定時間未満であると判定したときに、除湿運転を停止させる。従って、従来から備えている受付手段を利用しつつ、除湿運転の停止の設定と湿度の設定とが弁別して受け付けられ、空気調和機本体に除湿運転を停止させることができる。
【００４６】
本実施の形態１では、除湿運転中に除湿％ボタンの押下を受け付けた場合、ボタンの押下受け付け継続（長押し）時間が所定時間未満であると判定したときは、除湿運転を停止させる。従って、従来から備えている除湿ボタンの名称表示を変更して利用することにより、除湿運転の開始の設定及び停止の設定を弁別して受け付け、空気調和機本体に除湿運転を停止させることができる。
【００４７】
つまり、従来から備えている受付手段を利用しつつ、除湿運転の停止の設定を、湿度の設定と弁別して受け付け、空気調和機本体に除湿運転を停止させることができる空気調和機の遠隔操作装置を提供するという目的を達することもできる。
【００４８】
更にまた、湿度の設定に係る操作信号を送信する都度、記憶した湿度が段階的に上昇又は下降して更新される。従って、使用者が同一操作を繰り返した場合、空気調和機本体に設定させる湿度を段階的に上昇又は下降させ続けることができる。
【００４９】
本実施の形態１では、除湿運転の設定湿度の初期値を体にやさしい５０％とし、湿度を設定させる都度、設定湿度を使用者の体感が考慮された５％刻みで下降させる。
【００５０】
つまり、使用者が同一操作を繰り返した場合、空気調和機本体に設定させる湿度を段階的に上昇又は下降させ続けることができる空気調和機の遠隔操作装置を提供するという目的を達することもできる。
【００５１】
更にまた、設定湿度を更新する場合、設定湿度の上限値（又は下限値）を超える（又は下回る）ときは、下限値（又は上限値）に戻す。従って、使用者が同一操作を繰り返した場合、記憶した湿度が循環的に変更される間に、希望する湿度に設定させることができる。
【００５２】
本実施の形態１では、設定湿度を下降させて、下限値である４０％を下回るときは、上限値である６０％に戻す。
【００５３】
つまり、使用者が同一操作を繰り返した場合、希望する湿度に設定させることができる空気調和機の遠隔操作装置を提供するという目的を達することもできる。
【００５４】
更にまた、除湿運転の設定湿度の初期値を体にやさしい５０％とし、湿度を設定させる都度、設定湿度を使用者の体感が考慮された５％刻みで上昇又は下降させる。従って、使用者の体感に由来する要望に合致した操作性を得ることができる。
【００５５】
つまり、使用者の体感に由来する要望に合致した操作性を有する空気調和機の遠隔操作装置を提供するという目的を達することもできる。
【００５６】
尚、実施の形態１にあっては、制御部１１は、除湿運転中に除湿％ボタン１５ａの押下を所定時間以上（又は所定時間未満）受け付けた場合、除湿運転の湿度を設定させる（又は除湿運転を停止させる）処理を行っているが、除湿運転中に除湿％ボタン１５ａの押下を所定時間以上（又は所定時間未満）受け付けた場合、除湿運転を停止させる（又は除湿運転の湿度を設定させる）処理を行ってもよい。
【００５７】
また、除湿％ボタン１５ａの押下を受け付けた場合に、設定湿度を５％ずつ段階的に下降させて更新し、更新した設定湿度が下限値である４０％を下回ったときは、上限値である６０％に戻しているが、例えば設定湿度を５％ずつ段階的に上昇させて更新し、更新した設定湿度が上限値である６０％を超えたときは、下限値である４０％に戻して更新するようにしてもよい。
【００５８】
（実施の形態２）
図６は、本発明の実施の形態２に係る空気調和機の遠隔操作装置を模式的に示す正面図である。実施の形態２に係る空気調和機の遠隔操作装置は、操作部１５に停止ボタン１５ｂを備え、制御部１１による処理内容の一部が異なる他は、実施の形態１に係る空気調和機の遠隔操作装置と同一である。
停止ボタン１５ｂによる設定は、運転状態が除湿、冷房又は暖房の何れの場合であっても受け付けられ、設定が受け付けられたとき、運転状態は停止となる。
【００５９】
図７は、本発明の実施の形態２に係る空気調和機の遠隔操作装置において、除湿、冷房又は暖房運転中に、停止ボタン１５ｂを受け付けた場合に係る制御部１１の処理手順を示すフローチャートである。
制御部１１は、ＲＡＭ１４に記憶されている除湿運転中フラグがセットされているか否かを判定する（ステップＳ４１）。
尚、除湿運転中フラグ、冷房運転中フラグ及び暖房運転中フラグは、空気調和機の遠隔操作装置の初期設定時に、制御部１１によってクリアされ、夫々除湿運転、冷房運転及び暖房運転の開始時に、制御部１１によってセットされる。
【００６０】
除湿運転中フラグがセットされている場合（ステップＳ４１：ＹＥＳ）、制御部１１は、除湿運転中フラグをクリアし（ステップＳ４２）、更に、除湿運転の停止に係る操作信号を、送信部１７から空気調和機本体に送信して（ステップＳ４３）処理を終了する。
除湿運転中フラグがセットされていない場合（ステップＳ４１：ＮＯ）、制御部１１は、ＲＡＭ１４に記憶されている冷房運転中フラグがセットされているか否かを判定する（ステップＳ４４）。
【００６１】
冷房運転中フラグがセットされている場合（ステップＳ４４：ＹＥＳ）、制御部１１は、冷房運転中フラグをクリアし（ステップＳ４５）、更に、冷房運転の停止に係る操作信号を、送信部１７から空気調和機本体に送信して（ステップＳ４６）処理を終了する。
冷房運転中フラグがセットされていない場合（ステップＳ４４：ＮＯ）、制御部１１は、ＲＡＭ１４に記憶されている暖房運転中フラグがセットされているか否かを判定する（ステップＳ４７）。
【００６２】
暖房運転中フラグがセットされている場合（ステップＳ４７：ＹＥＳ）、制御部１１は、暖房運転中フラグをクリアし（ステップＳ４８）、更に、暖房運転の停止に係る操作信号を、送信部１７から空気調和機本体に送信して（ステップＳ４９）処理を終了する。
暖房運転中フラグがセットされていない場合（ステップＳ４７：ＮＯ）、制御部１１は、処理を終了する。
【００６３】
実施の形態２に係る空気調和機の遠隔操作装置にあっては、除湿運転中に運転の停止の設定を受け付けた場合、空気調和機本体へ除湿運転の停止に係る操作信号を送信して除湿運転を停止させる。従って、他の設定の受け付けに拘わらず、除湿運転を確実に停止させることができる。
【００６４】
その他、実施の形態１に対応する部分には同一符号を付して、それらの説明を省略する。
【図面の簡単な説明】
【００６５】
【図１】本発明の実施の形態１に係る空気調和機の遠隔操作装置の構成を示すブロック図である。
【図２】本発明の実施の形態１に係る空気調和機の遠隔操作装置を模式的に示す正面図である。
【図３】本発明の実施の形態１に係る空気調和機の遠隔操作装置において設定湿度が更新される様子を示す説明図である。
【図４】本発明の実施の形態１に係る空気調和機の遠隔操作装置において除湿％ボタンの押下を受け付けた場合に係る制御部の処理手順を示すメインルーチンのフローチャートである。
【図５】本発明の実施の形態１に係る空気調和機の遠隔操作装置において湿度の設定処理に係るサブルーチンの処理手順を示すフローチャートである。
【図６】本発明の実施の形態２に係る空気調和機の遠隔操作装置を模式的に示す正面図である。
【図７】本発明の実施の形態２に係る空気調和機の遠隔操作装置において、除湿、冷房又は暖房運転中に、停止ボタン１５ｂを受け付けた場合に係る制御部１１の処理手順を示すフローチャートである。
【図８】従来の遠隔操作装置の一例を模式的に示す正面図である。
【図９】従来の遠隔操作装置の一例において設定湿度が更新される様子を示す説明図である。
【図１０】従来の遠隔操作装置の他の一例を模式的に示す正面図である。
【図１１】従来の遠隔操作装置の他の一例において設定湿度が更新される様子を示す説明図である。
【符号の説明】
【００６６】
１１    制御部
１３    ＲＯＭ
１４    ＲＡＭ
１５    操作部
１５ａ  除湿％ボタン
１５ｂ  停止ボタン
１６    表示部
１７    送信部
【図１】
2008275261.tif 000003
【図２】
2008275261.tif 000004
【図３】
2008275261.tif 000005
【図４】
2008275261.tif 000006
【図５】
2008275261.tif 000007
【図６】
2008275261.tif 000008
【図７】
2008275261.tif 000009
【図８】
2008275261.tif 000010
【図９】
2008275261.tif 000011
【図１０】
2008275261.tif 000012
【図１１】
2008275261.tif 000013